(57)【要約】【課題】浴室の洗い場の寸法が異なる場合でもカウンター部材の部品を共用化しつつ、隙間を有効活用することができる浴室ユニットを提供する。【解決手段】本発明の浴室ユニット（１００）は、浴槽（１０１）と、前記浴槽に隣接する床面（１０２）と、前記床面から立設される壁部（１０３，１０４）とを備える浴室ユニットにおいて、前記床面と隣接する前記浴槽の側面と、前記側面と対向する前記壁部の壁面との間に全長にわたってカウンター部材（３）と収納部（４）とが連設されていることを特徴とする。【選択図】図１
2019041857.tif 000002
【特許請求の範囲】
【請求項１】
浴槽と、前記浴槽に隣接する床面と、前記床面から立設される壁部とを備える浴室ユニットにおいて、
前記床面と隣接する前記浴槽の側面と、前記側面と対向する前記壁部の壁面との間に全長にわたってカウンター部材と収納部とが連設されていることを特徴とする浴室ユニット。
【請求項２】
前記カウンター部材及び前記収納部を支持するブラケットが設けられている
請求項１に記載の浴室ユニット。
【請求項３】
前記カウンター部材が、前記壁部のブラケットに対して着脱可能に設けられている
請求項１または請求項２に記載の浴室ユニット。
【請求項４】
前記ブラケットが、前記壁部に対して着脱可能に取り付けられている
請求項３に記載の浴室ユニット。
【請求項５】
前記収納部が、前記壁部のブラケットまたは前記カウンター部材に対して着脱可能に設けられている
請求項１から請求項４のいずれか一項に記載の浴室ユニット。
【請求項６】
前記収納部に水抜き部を備える
請求項１から請求項５のいずれか一項に記載の浴室ユニット。
【発明の詳細な説明】
【技術分野】
【０００１】
本発明は、浴室ユニットに関する。
【背景技術】
【０００２】
浴室を構成する部品を予め工場で製造して、施工現場で各部品を組み立てて浴室を構築する浴室ユニットは、工期を短縮でき、且つ、品質を一定に保つことができるため、広く普及している。浴室ユニットでは、浴槽に隣接して設けられる洗い場に、水栓やカウンター等が設けられている（特許文献１）。特許文献１の浴室ユニットには、洗い場の幅より狭いカウンターが設けられている。
【０００３】
浴室ユニットは、設置場所に応じて複数種類のサイズが設定されている。この他、一般的に、戸建住宅と集合住宅とでは、浴室ユニットの設置場所のモジュールが異なる。そのため、戸建住宅用の浴室ユニットと集合住宅用の浴室ユニットとでは、壁部や洗い場の寸法が異なる。
【０００４】
上述のように、洗い場の寸法が異なる浴室ユニットにカウンターを設ける場合、各種浴室ユニットに応じて複数種類のカウンター部材を準備する方法がある。しかし、各種浴室ユニット毎に専用のカウンター部材を準備すると製造コストが高くなるため、寸法が異なる浴室ユニットであっても使用する部品を共用したい。複数種類の浴室ユニットにおいてカウンター部材を共用部品とする場合、洗い場の幅が小さい浴室ユニットに合わせてカウンター部材の幅が設定され、洗い場の幅が大きい浴室ユニットでは、カウンターと壁面との間に隙間が生じる。この場合、従来の浴室ユニットでは、カウンター部材と壁面との間の隙間に、カウンター部材の上面と略面一にスペーサを設けていた。
【先行技術文献】
【特許文献】
【０００５】
【特許文献１】特許第５２７６６１７号公報
【発明の概要】
【発明が解決しようとする課題】
【０００６】
しかし、カウンター部材と壁面との距離が大きい隙間にスペーサを設けると、カウンターの上面において、カウンター部材とスペーサとの境界線が目立ち見た目が課題となる。また、スペーサ部分は、浴室を実際に使用する際は、機能的な効果が得られない。
【０００７】
上記事情を踏まえ、本発明は、浴室の洗い場の寸法が異なる場合でもカウンター部材の部品を共用化しつつ、隙間を有効活用することができる浴室ユニットを提供することを目的とする。
【課題を解決するための手段】
【０００８】
本発明に係る浴室ユニットは、浴槽と、前記浴槽に隣接する床面と、前記床面から立設される壁部とを備える浴室ユニットにおいて、前記床面と隣接する前記浴槽の側面と、前記側面と対向する前記壁部の壁面との間に全長にわたってカウンター部材と収納部とが連設されていることを特徴とする。
【０００９】
この発明によれば、浴室の洗い場の寸法が異なる場合でもカウンター部材の部品を共用化しつつ、カウンター部材の幅方向に生じる隙間を収納部として機能させることができる。したがって、デッドスペースとなりがちなカウンター部材の幅方向の端部を収納に活用できる。また、カウンター部材と収納部とが連設されているので、カウンター部材と収納部とが外観上一体感を持つように設けることができ、外観上も優れたカウンターを備える浴室ユニットを提供できる。
【００１０】
本発明に係る浴室ユニットは、前記カウンター部材及び前記収納部を支持するブラケットが設けられていてもよい。
【００１１】
この発明によれば、ブラケットにより、カウンター部材及び収納部を支持できるので、カウンター部材に加えて収納部を設けても、ブラケットの部品点数を抑えられる。また、収納部を設けても、浴室ユニットの施工時の取り付け作業が増大することがなく、施工も容易である。
【００１２】
本発明に係る浴室ユニットでは、前記カウンター部材が、前記壁部のブラケットに対して着脱可能に設けられていてもよい。
【００１３】
この発明によれば、カウンター部材が壁部のブラケットに対して着脱可能に設けられているので、カウンター部材を壁部から取り外して清掃を行うことができる。したがって、カウンター部材と壁部との接触部分や隙間等、汚れが付着しやすい箇所も容易に清掃可能となり、浴室を清潔に保つことができる。
【００１４】
本発明に係る浴室ユニットでは、前記ブラケットが、前記壁部に対して着脱可能に取り付けられていてもよい。
【００１５】
この発明によれば、ブラケットが壁部に対して着脱可能に取り付けられているので、ブラケットを壁部から取り外して清掃を行うことができる。したがって、ブラケットと、周囲の部材との接触部分や隙間等、汚れが付着しやすい箇所も容易に清掃可能となり、浴室を清潔に保つことができる。
【００１６】
本発明に係る浴室ユニットでは、前記収納部が、前記壁部または前記カウンター部材に対して着脱可能に設けられていてもよい。
【００１７】
この発明によれば、収納部が、壁部またはカウンター部材に対して着脱可能に設けられているので、収納部を壁部またはカウンター部材から取り外して清掃を行うことができる。したがって、カウンター部材と収納部との接触部分や隙間、あるいは壁部と収納部との接触部分や隙間等、汚れが付着しやすい箇所も容易に清掃可能となり、浴室を清潔に保つことができる。
【００１８】
本発明に係る浴室ユニットは、前記収納部に水抜き部を備えていてもよい。
【００１９】
この発明によれば、収納部に水抜き部を備えるので、使用時に収納部内にシャワー水栓等からの水が入っても水抜き部から排水可能であり、収納部内に水が溜まることを防ぎ、収納部内を清潔に保つことができる。
【発明の効果】
【００２０】
本発明によれば、浴室の洗い場の寸法が異なる場合でもカウンター部材の部品を共用化しつつ、隙間を有効活用することができる浴室ユニットを提供できる。
【図面の簡単な説明】
【００２１】
【図１】本発明の第１実施形態の浴室ユニットの斜視図である。
【図２】本発明の第１実施形態の浴室ユニットのカウンター部材及び収納部の上面図である。
【図３】本発明の第１実施形態の浴室ユニットのカウンター部材及び収納部の正面図である。
【図４】本発明の第１実施形態の第１支持部材及びカウンター部材の断面図である。
【図５】本発明の第１実施形態の第２ブラケット、第２係止部材、及びステーの分解斜視図である。
【図６】本発明の第１実施形態のステーの構造を示す斜視図である。
【図７】本発明の第１実施形態の第２支持部材及びカウンター部材の断面図である。
【図８】本発明の第１実施形態の収納部材の斜視図である。
【図９】本発明の第２実施形態の浴室ユニットのカウンター部分の正面図であり、浴槽の一部を破断して示す図である。
【図１０】本発明の第３実施形態の浴室ユニットの正面図である。
【図１１】本発明の第３実施形態の収納部の取付態様を示す模式図である。
【図１２】本発明の第４実施形態の収納部を示す斜視図である。
【発明を実施するための形態】
【００２２】
（第１実施形態）
本発明の第１実施形態に係る浴室ユニットについて説明する。図１は、本実施形態の浴室ユニット１００の一部を示す斜視図である。図２は、本実施形態の浴室ユニット１００のカウンター部材３及び収納部４の上面図である。図３は、浴室ユニット１００のカウンター部材３及び収納部４の正面図である。図４は、本実施形態の第１支持部材２１及びカウンター部材３の断面図である。図５は、本実施形態の第２ブラケット５、第２係止部材２２、及びステー６の分解斜視図である。図６は、本実施形態のステー６の構造を示す斜視図である。図７は、本実施形態の第２支持部材２２及びカウンター部材３の断面図である。図８は本実施形態の収納部材４０の斜視図である。なお、図面において、同一又は類似の部分には同一の符号を付して、重複する説明を省く場合がある。また、図面における要素の形状及び大きさなどはより明確な説明のために誇張されることがある。
【００２３】
浴室ユニット１００は、建物の躯体内にフレームとパネルとを用いて、床、壁、天井及び浴槽等を組み立てて設置される。浴室ユニット１００内に形成される浴室には外枠形状が平面視で略長方形の浴槽１０１と、平面視略矩形であり、浴槽１０１と壁との間の床部を構成する洗い場（床面）１０２と、が設けられている。浴槽１０１の洗い場１０２との境界部分となる端部には、浴槽１０１の側面を覆うエプロン１０５（図９参照）が設けられ、洗い場１０２と浴槽１０１とは、エプロン１０５を介して接続されている。洗い場１０２及び浴槽１０１の外縁から壁部１０３，１０４が立設されている。
【００２４】
本実施形態では、浴室ユニット１００の壁部のうち、シャワー１０９、水栓１１０、シャワーホルダ１０７が設けられた壁を第１壁部１０３と称し、第１壁部１０３に直交し、浴槽１０１のエプロン１０５と対向する壁を第２壁部１０４と称する。また、浴槽１０１のエプロン１０５の前面は、第１壁部１０３と直交して配置され、第２壁部１０４と間隔をあけて対向している。
【００２５】
以下の説明において、第１壁部１０３の壁面に沿った水平方向を幅方向、幅方向に直交する水平方向を奥行方向とする。奥行方向のうち第１壁部１０３に近接する方向を奥行方向の奥側とし、第１壁部１０３と離間する方向を奥行方向の手前側とする。幅方向のうち、浴槽１０１のエプロン１０５が配置されている側を幅方向の浴槽側とし、第２壁部１０４が配置されている側を幅方向の第２壁部側と記載する。
また、以下の説明では、特に断らない限り、各部材が第１壁部１０３、第２壁部１０４、または浴槽１０１のエプロン１０５に取り付けられた姿勢について説明する。
【００２６】
本実施形態に係る浴室ユニット１００には、洗い場１０２と隣接する浴槽１０１のエプロン（側面）１０５と、エプロン１０５と対向する第２壁部１０４の壁面との間に全長にわたってカウンター部材３と収納部４とが連設されている。なお、洗い場１０２と隣接する浴槽１０１のエプロン（側面）１０５と、エプロン１０５と対向する第２壁部１０４の壁面との間の全長とは、エプロン１０５と第２壁部１０４の壁面との間をカウンター部材３と収納部４とで概ね埋めることを意図しており、設計上の数ミリメートル程度の隙間を有する場合を含む。したがって、カウンター部材３と収納部４との幅方向の合計寸法と、エプロン１０５と第２壁部１０４の壁面との間の幅方向の寸法が概ね等しいことを意図しており、これらの部材を収める為に必要となる数ミリメートル程度の隙間により、カウンター部材３と収納部４との幅方向の合計寸法がエプロン１０５と第２壁部１０４の壁面との間の幅方向の寸法より僅かに小さい場合も含む概念である。
【００２７】
図１及び図２に示すように、カウンター部材３は、長尺に形成され、長辺が第１壁部１０３に沿い、短辺が第２壁部１０４およびエプロン１０５の前面に沿って配置されている。
図１から図４に示すように、カウンター部材３は、上側に配置される天板３１と、下側に配置される底板３２と、を有する。天板３１および底板３２は、それぞれ樹脂材料により形成されている。カウンター部材３は、天板３１と底板３２とが接合されて構成されている。図２に示すように、カウンター部材３は、奥行方向の奥側の縁部が幅方向に直線状に形成され、幅方向の両側（浴槽１０１側、第２壁部１０４側）の縁部がそれぞれ奥行方向に直線状に形成されている。
【００２８】
天板３１の天面部３１１は、物品の載置面となる。天面部３１１は物品を載置可能な程度に略水平に形成されているが、第１壁部１０３側の端部３１５から洗い場１０２に臨む手前側の縁部３１２に向けて緩やかな水勾配を有する。図２に示すように、天面部３１１の奥行方向の手前側の縁部３１２は、幅方向の一方側から他方側（浴槽１０１側から第２壁部１０４側）に向かって次第に奥行方向の手前側に突出するように、平面視Ｓ字形状に緩やかな曲線状に形成されている。
【００２９】
図４に示すように、天板３１は、奥行方向の手前側の縁部３１２から下側に延びて、底板３２の奥行方向の手前側の端部３２１と接合されている。底板３２には、端部３２１から奥側に連設され、下側に突出する手掛け部３２２が形成されている。
【００３０】
底板３２の手掛け部３２２よりも奥側は、カウンター部材３の奥行方向の奥側の下端部３２４まで緩やかに湾曲する湾曲面３２３が形成されている。カウンター部材３の下端部３２４には、下端係合部３２５が形成されている。下端係合部３２５は、下側に突出するように形成され、下端面３２６が幅方向に長尺な長方形の水平面を有する。
【００３１】
図４に示すように、カウンター部材３の奥行方向の奥側の後板部３５は、略平板状に形成されている。後板部３５は、下端係合部３２５の奥行方向奥側の端部から鉛直方向上側に延設され、天板３１の奥行方向奥側の端部と接合されている。
【００３２】
後板部３５は、上側被係止部３３と、複数の規制突出部３６とを有する。上側被係止部３３は、後板部３５の上端部に設けられている。上側被係止部３３は、上部が天面部３１１の奥行方向の奥側の端部３１５からさらに奥側に延設され、後板部３５の上端部３５１よりも奥側に離間した位置で、上部の奥側端部が鉛直下方に延び、後板部３５の上端部３５１と対向する係止片３３１を有する。上側被係止部３３は、カウンター部材３の幅方向の略全域に形成されている。
【００３３】
規制突出部３６は、後板部３５の高さ方向の中間部において、後板部３５から奥側に突出して形成されている。規制突出部３６は、後板部３５の幅方向に等間隔で複数設けられている。
【００３４】
図２及び図３に示すように、カウンター部材３は、幅方向の両端部に、第１側面部３４１と第２側面部３４２とを有している。第１側面部３４１は、天面部３１１の幅方向の一方側（第２壁部１０４側）の縁部から下側に延びて形成されている。第２側面部３４２は、天面部３１１の幅方向の他方側（浴槽１０１側）の縁部から下側に延びて形成されている。
【００３５】
天板３１及び底板３２の内部には、上下方向に延びる板状の複数のリブや、これらのリブの間やリブに連続して設けられた補強板などが適宜設けられている。これらのリブや補強板などによって天板３１及び底板３２は所定の強度を有する。
【００３６】
カウンター部材３は、第１支持部材２１を介して第１壁部１０３に対して着脱可能に固定される。第１支持部材２１は、第１ブラケット８と、第１係止部材９と、を備えている。
【００３７】
第１ブラケット８は第１壁部１０３に固定される長尺な板状部材である。図４に示すように、第１支持部材２１の第１ブラケット８は、板状部８１と、下支持部８３と、上支持部８４とを備える。
【００３８】
板状部８１は、幅方向に長尺な長方形状の平板であり、奥行方向の奥側に配置される面は、略全域に渡って第１壁部１０３と当接する平面となる。第１ブラケット８には、板状部８１の厚さ方向に貫通する固定具用孔（不図示）と、下支持部８３と、上支持部８４とが、第１係止部材９の数と取付位置に応じて複数設けられている。複数設けられる各固定具用孔、下支持部８３、上支持部８４は、同一の形態である。
【００３９】
図４に示すように、下支持部８３は、板状部８１の下端部から奥行方向の手前側に突出して設けられている。下支持部８３には、板状部８１と下支持部８３との境界部分に、２つの貫通孔８３２が幅方向に並んで形成されている。貫通孔８３２の縁部近傍であって下支持部８３の奥行方向の略中央部の上面には、上方向に突出する突起（不図示）が設けられている。突起は第１係止部材９が第１ブラケット８に係止された時に第１係止部材９の奥行方向への移動を規制する規制部として機能する。
【００４０】
上支持部８４は、板状部８１の上部に幅方向に水平に延び、且つ、奥行方向の手前側に突出して形成されている。
【００４１】
第１係止部材９は、カウンター部材３を第１ブラケット８に取り付けるための中間部材であり、第１ブラケット８に着脱可能に取り付けられる部材である。第１係止部材９は、中空部を有する樹脂部材で構成され、図４に示すように、内部に強度を保持するための金属板９０が設けられている。第１係止部材９は、例えば、金属板９０の周囲を複数の樹脂部材で覆い、複数の樹脂部材同士が接合されて構成されている。
【００４２】
第１係止部材９は、上下方向に延びる係止部材本体９１と、係止部材本体９１の下端部に設けられた下係止部９２と、係止部材本体９１の上端部に設けられた上係止部９３とを備える。
【００４３】
下係止部９２は、係止部材本体９１の下端部から奥行方向の手前に突出して形成されている。図４に示すように、下係止部９２には、カウンター部材３の底板に形成された下端係合部３２５を受ける下係止溝９２１が形成されている。下係止溝９２１は、上方に向かって開口し、奥行方向の縦断面形状が、カウンター部材３の下端係合部３２５の形状に沿って略Ｕ字状に形成されている。排水性の観点により、下係止溝９２１の底面は、幅方向の略中央部が両端部よりわずかに高くなるように緩やかな凸曲面状に形成されていることが好ましい。
【００４４】
上係止部９３は、係止部材本体９１の上端部に幅方向全体にわたって延在し、上方に向かって開口する上係止溝９３１が形成されている。上係止溝９３１は、カウンター部材３の係止片３３１が挿入可能な溝形状を有する。排水性の観点により、上係止溝９３１の底面は、幅方向の略中央部が両端部よりわずかに高くなるように緩やかな凸曲面状に形成されていることが好ましい。
【００４５】
第１係止部材９は、上係止部９３の奥行方向の手前側の上端部から下方に延びる前面部９４を有する。前面部９４には、係止部材本体９１の上下方向略中央部よりも下方で奥行方向に窪む段部９５が形成されている。係止部材本体９１の奥行方向の厚さは、係止部材本体９１の上下方向略中央部よりも上部側の方が、下部側よりも厚い。この段部９５よりも上方の上側前面部９４１の下端部には、係止部材本体９１の上下方向略中央部において下側に突出する受け部９６が形成されている。受け部９６は、カウンター部材３が第１係止部材９に係止された状態でカウンター部材３の規制突出部３６と当接可能な位置に形成されている。
段部９５よりも下側の下側前面部９４２の下端部と、下係止溝９２１との間は奥行方向に延びる平面部９７を介して接続されている。
【００４６】
係止部材本体９１の下面には、下方向に突出する２つの突起９３２が設けられている。
【００４７】
図５に、第２ブラケット５、第２係止部材７、及びステー６の分解斜視図を示す。図５に示すように、第２支持部材２２の第２ブラケット５は、第２壁部１０４に固定される部材であり、第１ブラケット８と同様に長尺な板状部材である。第２ブラケット５は、板状部５１と、下支持部５３と、上支持部５４と、移動規制部５６と、を備える。
【００４８】
板状部５１は、幅方向に長尺な長方形状の平板であり、幅方向の外側に配置される面は、略全域にわたって第２壁部１０４と当接する平面となる。第２ブラケット５には、固定具用孔５２と、下支持部５３と、上支持部５４とが、第２係止部材７の数と取付位置に応じて複数設けられている。
【００４９】
固定具用孔５２は、板状部５１の厚さ方向に貫通する孔である。本実施形態では、１つの第２係止部材７に対して複数の固定具用孔５２が形成されている。具体的には、板状部５１の上下方向の略中央部に２つの固定具用孔５２が奥行方向に並んで形成され、その下方に１つの固定具用孔５２が形成されている。なお、固定具用孔５２の位置は、第２係止部材７を取り付ける際に、ねじ等の固定具が第２係止部材７と干渉しない位置であればよい。また、固定具用孔５２の数は、第２係止部材７を介してステー６及びカウンター部材３が取付けられた状態での使用に耐え得る程度に、第２ブラケット５が第２壁部１０４に固定可能であればよい。したがって、固定具用孔５２の位置及び数はこれに限定されない。
【００５０】
図５に示すように、下支持部５３は、板状部５１の下端部から幅方向に第２壁部１０４との当接面とは反対側に突出して設けられている。下支持部５３には、板状部５１と下支持部５３との境界部分に、２つの貫通孔５３２が奥行方向に並んで形成されている。貫通孔５３２の縁部近傍であって、下支持部５３の幅方向の略中央部の上面には、上方向に突出する突起５３１が設けられている。突起５３１は第２係止部材７が第２ブラケット５に係止された時に、第２係止部材７の奥行方向への移動を規制する規制部として機能する。
【００５１】
上支持部５４は、板状部５１の上部に奥行方向に水平に延び、且つ、幅方向に突出して形成されている。
【００５２】
移動規制部５６は、板状部５１の奥行方向の略中央部の上部に設けられている。
移動規制部５６は、奥行方向から見た形状が略Ｌ字状であり、下端部が板状部５１の上支持部５４が形成される面と接続されて奥行方向に突出し、上部側が板状部５１と離間して対向するように上方に曲折して設けられている。移動規制部５６の上下方向に延びる部分５６１では、奥行方向の両端部は中央部よりも厚さが薄く、中央部に向かってテーパ面５６１ａが形成されている。
【００５３】
移動規制部５６は、第２ブラケット５の奥行方向の略中間部に設けられている。本実施形態では、２つの第２係止部材７が設けられているため、移動規制部５６は、２つの上支持部５４の間に設けられている。
【００５４】
図５に示すように、第２係止部材７は、上下方向に延びる係止部材本体７１と、係止部材本体７１の上端部に設けられた上係止部７３と、係止部材本体７１の下端面に設けられた下係止部７２（図７参照）とを備える。
【００５５】
第２係止部材７は、中空部を有する樹脂部材で構成され、図７に示すように、内部に強度を保持するための金属板７０が設けられている。例えば、金属板７０の周囲を複数の樹脂部材で覆い、複数の樹脂部材同士が接合されて構成されている。
【００５６】
第２係止部材７の係止部材本体７１は、下部が略直方体形状である。上係止部７３は、係止部材本体７１の上端部に奥行方向全体にわたって延在し、上方に向かって開口する上係止溝７３１が形成されている。上係止溝７３１は、後述するステー６の係止端が挿入可能な溝形状を有する。排水性の観点により、上係止溝７３１の底面は、奥行方向の略中央部が両端部よりわずかに高くなるように緩やかな凸曲面状に形成されていることが好ましい。
【００５７】
図７に示すように、下係止部７２は、第２係止部材７の係止部材本体７１の下端面に下方に突出して設けられている。下係止部７２は、奥行方向に２箇所並んで設けられている。
【００５８】
ステー６は、第２係止部材７に係止されてカウンター部材３及び収納部材４０を支持する部材である。図５から図７に示すように、ステー６は、上面６１と、上面６１の縁部のうちの３辺から下方に延設される３つの側壁部６４１，６４２，６４３（図６参照）と、第２ブラケット５及び第２係止部材７側の係止部６３とを有する。図６及び図７に示すように、ステー６は、上面６１の下側が開口する樹脂成型部材である。
【００５９】
側壁部６４１，６４２，６４３は、上面６１の縁部のうち、係止部６３が設けられる側の縁部とは幅方向の反対側の縁部から鉛直下方に延設される第１側壁部６４１と、上面６１の縁部のうち、幅方向に沿う２つの縁部から鉛直下方に延設される第２側壁部６４２，６４３と、を有する。第２側壁部６４２，６４３の下端部は、係止部６３の下端と第１側壁部６４１との下端とを繋ぐように傾斜している。
【００６０】
図６に示すように、上面６１の縁部のうち、第１側壁部６４１が設けられる側の縁部と幅方向に離間する端部の下方に係止部６３が設けられている。係止部６３は、上面６１の縁部から鉛直下方に延びる平面に、第２係止部材７の奥行方向の寸法に対応した切欠部６３１が形成されている。切欠部６３１の上端縁部６２は奥行方向に水平に形成されており、第２係止部材７の上係止溝７３１に挿入されて係止可能な形状を有する。また、上端縁部６２の上方には、幅方向の外側に突出する突出縁６３２が形成されている。突出縁６３２は、幅方向から見たときに切欠部６３１の形状と相似形で切欠部６３１よりも大きい寸法で形成されている。係止部６３は、奥行方向に並んで２つ形成されている。
【００６１】
ステー６の上面６１には、奥行方向に延びる複数のリブ６１０が形成されている。リブ６１０の上面は水平面６１１であり、複数のリブ６１０の水平面６１１によりステー６の支持面が構成されている。リブ６１０の間には傾斜面６１２が形成されている。傾斜面６１２は、奥行方向の手前側の第２側壁部６４２側から奥側の第２側壁部６４３側に向かって下降するように緩やかに傾斜している。
【００６２】
ステー６の第１側壁部６４１にはリブ６１０の水平面６１１の高さよりも高い位置まで上方に延出するカウンター支持部６５が形成されている。カウンター支持部６５は平面視矩形の水平な支持面６５１を有する。
【００６３】
図８に、収納部材４０の斜視図を示す。収納部材４０はステー６の上面６１に載置される部材である。収納部材４０は、奥行方向に長い樹脂成型部材である。図８に示すように、収納部材４０は、底面部４１と、底面部４１から上下方向に立設された側壁部４５,４６と、上部に位置する枠部４３と、を備える。
【００６４】
底面部４１は、平面状に形成されており、収納部材４０の底面となる。底面部４１の上面には、上方に突出し、奥行方向に延びる複数のリブ４２が設けられている。リブ４２は、底面の水切りとして機能する。
【００６５】
底面部４１の幅方向の両端は互いに平行な直線状に形成されており、幅方向の両端からそれぞれ鉛直上方に側壁部４５,４６が形成されている。収納部材４０がステー６上に取り付けられたときに、第２ブラケット５側に位置する側壁を第１側壁部４６と称し、カウンター部材３側に位置する側壁を第２側壁部４５と称する。底面部４１の奥行方向の両端部には側壁部が設けられておらず、開口しており、水抜き部４７として機能する。
【００６６】
第１側壁部４６の奥行方向の略中央部の下端から下方に突出する規制部材４４０が設けられている。規制部材４４０には、下端部が幅方向の内側（カウンター部材３側）に曲折した当接面４４１を有し、奥行方向から見た形状が略Ｌ字状に形成されている。規制部材４４０の当接面４４１はステー６の上面６１に当接するように、ステー６１の上面の傾斜に応じて奥行方向に向かって傾斜している。規制部材４４０の外側の面の奥行方向の略中央部には、規制突起４４が設けられている。規制突起４４は、規制部材４４０の下端部から幅方向に突出する突起である。規制突起４４は平面視で略半円形状を有する。
【００６７】
枠部４３は、平面視略矩形であり、側壁部４５，４６の上端に延設されている。枠部４３は、底面部４１よりも奥行方向の寸法が長く、図１及び図２に示すように、カウンター部材３の幅方向の他方側（第２壁部１０４側）の第１側面部３４１の奥行方向の寸法と略等しい。
【００６８】
次に、カウンター部材３及び収納部材４０の取付方法及び取付構造について説明する。
第１ブラケット８の各固定具用孔に固定具であるねじ（不図示）が挿入されて第１壁部１０３に固定される。同様に、第２ブラケット５の各固定具用孔５２にもねじが挿入されて第２壁部１０４に固定される。
【００６９】
第１係止部材９は、第１ブラケット８に着脱可能に取り付けられる。
図４に示すように、第１ブラケット８の下支持部８３上に第１係止部材９の下係止部９２を近付けて当接させ、第１係止部材９の奥行方向の奥側の面を板状部８１の手前側の面に当接させる。このとき、下係止部９２の下面の突起９３２が下支持部８３の貫通孔８３２に進入して係止される。第１係止部材９の突起９３２は、下支持部８３の突起８３１と当接する。その後、上係止部９３の奥行方向の奥側の端部を上支持部８４の下部に当接させる。この結果、上支持部８４と下支持部８３との間で第１係止部材９の係止部材本体９１が上下方向で挟持され、下支持部８３の貫通孔８３２に第１係止部材９の下面の突起９３２が係止されて、第１係止部材９は、第１ブラケット８に保持される。同様の方法で３つの第１係止部材９全てを第１ブラケット８に取り付ける。
【００７０】
第２係止部材７は、第１係止部材９と同様に、第２ブラケット５に着脱可能に取り付けられる。
図７に示すように、第２ブラケット５の下支持部５３上に第２係止部材７の係止部材本体７１の下部を近付けて当接させ、第２係止部材７の奥行方向の奥側の面を板状部５１の手前側の面に当接させる。このとき、係止部材本体７１の下面の下係止部７２が下支持部５３の貫通孔５３２に進入して係止される。第２係止部材７の下係止部７２は、下支持部８３の突起５３１と当接する。その後、上係止部７３の奥行方向の奥側の端部を上支持部５４の下部に当接させる。この結果、上支持部５４と下支持部５３との間で第２係止部材７の係止部材本体７１が上下方向で挟持され、下支持部５３の貫通孔５３２に第２係止部材７の下面の突起７３２が係止されて、第２係止部材７は、第２ブラケット５に保持される。同様の方法でもう一方の第２係止部材７を第２ブラケット５に取り付ける。
【００７１】
なお、第１係止部材９を第１ブラケット８から取り外すときは、係止部材本体９１の上部を奥行方向の手前側に傾けるように引き、上支持部５４から離間させると、第１ブラケット８から第１係止部材９を取り外すことができる。
第２係止部材７を第２ブラケット５から取り外す方法も同様である。
【００７２】
次に、ステー６を第２係止部材７に係止する。ステー６を第２壁部１０４に近接させながらステー６の係止部６３を第２係止部材７に上方から近付け、切欠部６３１の上端縁部６２を第２係止部材７の上係止溝７３１に挿入する。図７に示すように、切欠部６３１の上端縁部６２が上係止溝７３１に係止される。また、切欠部６３１の上端縁部６２の上方の突出縁６３２が第２ブラケット５の板状部５１に当接している。突出縁６３２は、第２係止部材７の上部及び奥行方向両端の外周部において板状部５１に当接する。したがって、ステー６は、上端縁部６２が上係止溝７３１に係止され、且つ、突出縁６３２が板状部５１に当接することにより、第２支持部材２２に安定支持される。
【００７３】
一方、ステー６を上方に持ち上げると、ステー６を第２支持部材２２から簡単に取り外すことができる。
【００７４】
次に、カウンター部材３を取り付ける。
まず、カウンター部材３の奥行方向の手前側の縁部近傍を把持し、カウンター部材３を３つの第１係止部材９の上方に配置する。このとき、カウンター部材３の手掛け部３２２を下側から把持するとカウンター部材３を把持しやすい。
カウンター部材３を第１ブラケット８に向かって下降させる際には、カウンター部材３を第２壁面１３に寄せた状態で下降させる。カウンター部材３の係止片３３１を第１係止部材９の上係止溝９３１に挿入させ、カウンター部材３の下端係合部３２５を第１係止部材９の下係止溝９２１に挿入させる。これにより、係止片３３１が上係止溝９３１に下側から支持され、下端係合部３２５が下係止溝９２１に下側から支持される。
このとき、カウンター部材３の幅方向の他方側（第２壁部１０４側）の第１側面部３４１側の下部がステー６の支持面６５１に当接し、カウンター部材３は、ステー６に下側から支持される。カウンター部材３は第１係止部材９に係止された状態で幅方向にスライド可能である。
【００７５】
上記のようにカウンター部材３が配置されると、カウンター部材３の幅方向一方側（浴槽１０１側）の第２側面部３４２と浴槽１０１のエプロン１０５の前面との間には隙間が形成された状態となる。また、カウンター部材３の後板部３５の複数の規制突出部３６が、第１係止部材９と奥行き方向に重ならず、第１係止部材９の幅方向の他方側（第２壁部１０４側）に配置された状態となる。
【００７６】
続いて、カウンター部材３を幅方向の浴槽１０１側にスライドさせる。
カウンター部材３を幅方向の浴槽１０１側にスライドすると、カウンター部材３の規制突出部３６が第１係止部材９の段部９５の下方に入り込み、規制突出部３６の幅方向一方側の端部が受け部９６と当接する。これにより、カウンター部材３の幅方向一方側への移動が規制される。
【００７７】
カウンター部材３の規制突出部３６が受け部９６と当接すると、カウンター部材３の第２側面部３４２が浴槽１０１のエプロン１０５の前面とわずかな隙間をあけて離間し、エプロン１０５の前面と衝突しないように構成されている。
【００７８】
次に、カウンター部材３の第１側面部３４１と第２ブラケット５との間であって、ステー６の上面６１に収納部材４０を配置し、カウンター部材３と第２壁部１０４との間の隙間に収納部４が連設される。
【００７９】
収納部材４０がステー６の上面６１に配置されると、収納部材４０は、移動規制部５６により、奥行方向の移動が規制される。具体的には、収納部材４０の規制部材４４０に設けられた規制突起４４が移動規制部５６の奥側の近傍に配置され、収納部材４０が奥行方向の手前側にずれた場合に、規制突起４４が移動規制部５６の奥側端部に当接し、収納部材４０が手前側に移動することを規制される。
【００８０】
一方、例えば、清掃時等、ステー６の上面６１に配置された収納部材４０を積極的に手前側に移動させたい場合、規制突起４４が移動規制部５６の奥側端部に当接した状態でさらに収納部材４０を手前側に引くと、規制突起４４が移動規制部５６のテーパ面５６１ａを第２ブラケット５の板状部５１側に押圧する。その結果、移動規制部５６が弾性変形して、規制突起４４が移動規制部５６を乗り越えて、収納部材４０が手前側に移動する。
【００８１】
この結果、収納部材４０は、規制突起４４と移動規制部５６とにより、手前方向に所定量以下の外力が付加された場合は、第２ブラケット５に対する奥行方向の移動が規制され、手前方向に所定量以上の外力が付加された場合は、手前方向に移動可能となるように構成されている。
【００８２】
本実施形態に係る浴室ユニット１００によれば、洗い場１０２の寸法が異なる場合でもカウンター部材３の部品を共用化しつつ、カウンター部材３の幅方向に生じる隙間を収納として機能させることができる。したがって、デッドスペースとなりがちなカウンター部材３の幅方向の端部を収納に活用できる。また、カウンター部材３と収納部４とが連設されているので、収納部４をカウンター部材３と外観上一体感を持つように設けることができ、外観上も優れたカウンターを備える浴室ユニット１００を提供できる。
【００８３】
本実施形態に係る浴室ユニット１００によれば、第１ブラケット８及び第２ブラケット５により、カウンター部材３及び収納部材４０を支持できるので、カウンター部材３に加えて収納部材４０を設けても、ブラケットの部品点数を抑えられる。また、収納部材４０を設けても、浴室ユニット１００の施工時の取り付け作業が増大することがなく、施工も容易である。
【００８４】
本実施形態に係る浴室ユニット１００によれば、第２ブラケット５が第２壁部１０４に対して着脱可能に取り付けられているので、第２ブラケット５を第２壁部１０４から取り外して清掃を行うことができる。したがって、第２ブラケット５と、周囲の部材との接触部分や隙間等、汚れが付着しやすい箇所も容易に清掃可能となり、浴室を清潔に保つことができる。
【００８５】
本実施形態に係る浴室ユニット１００によれば、収納部材４０が、第２壁部１０４またはカウンター部材３に対して着脱可能に設けられているので、収納部材４０を第２壁部１０４またはカウンター部材３から取り外して清掃を行うことができる。したがって、カウンター部材３と収納部材４０との接触部分や隙間、あるいは第１壁部１０３及び第２壁部１０４と収納部材４０との接触部分や隙間等、汚れが付着しやすい箇所も容易に清掃可能となり、浴室を清潔に保つことができる。
【００８６】
本実施形態に係る浴室ユニット１００によれば、カウンター部材３が第１壁部１０３に対して着脱可能に設けられているので、カウンター部材３を第１壁部１０３から取り外して清掃を行うことができる。したがって、カウンター部材３と第１壁部１０３との接触部分や隙間等、汚れが付着しやすい箇所も容易に清掃可能となり、浴室を清潔に保つことができる。
【００８７】
本実施形態に係る浴室ユニット１００によれば、収納部材４０に水抜き部４７を備えるので、使用時に収納部材４０内にシャワー水栓等からの湯水が入っても水抜き部４７から排水可能であり、収納部材４０内に水が溜まることがなく、収納部材４０内を清潔に保つことができる。
【００８８】
上記実施形態では、カウンター部材３は、第１壁部１０３に固定された第１ブラケット９を介して第１壁部１０３に対して着脱可能に固定される例を示したが、カウンター部材３が第１壁部１０３に対して着脱可能に取り付けられる構成は必須の構成ではない。カウンター部材３は、不図示のブラケット等を介して、第１壁部１０３にねじ等の固定部材により固定されていてもよい。
【００８９】
以上、本発明の実施形態について図面を参照して詳述したが、具体的な構成はこの実施形態に限られるものではなく、本発明の要旨を逸脱しない範囲の設計変更等も含まれる。
【００９０】
（第２実施形態）
図９は、第２実施形態の浴室ユニット１００のカウンター部分の正面図であり、浴槽１０１の一部を破断して示す図である。以下に示す実施形態において、上述した第１実施形態に係るカウンターの取付構造の構成要素と機能あるいは構造の点において同様である構成要素には、上記実施形態と同一符号が付されており、上記実施形態と重複する説明は省略する。
【００９１】
第２実施形態では、収納部材４０をカウンター部材３と浴槽１０１との間に配置する例を示す。第２支持部材２２及び収納部材４０は、カウンター部材３の幅方向の何れか一方に隣接して配置可能である。この他、カウンター部材３の幅方向の両端に第２支持部材２２及び収納部材４０を設ける構成でもよい。
【００９２】
収納部材４０をカウンター部材３と浴槽１０１との間に配置する場合、第２支持部材２２は、浴槽１０１に取り付ける。具体的には、エプロン１０５の上端部に、受け部材１０６を固定する。第２ブラケット５、第２係止部材７、ステー６は、取付位置に関わらず共用できる。
【００９３】
第１実施形態で第２ブラケット５を第２壁部１０４にねじで固定した例と同様に、第２ブラケット５は受け部材１０６に固定される。第２係止部材７、ステー６を取り付けた後、カウンター部材３を取り付ける。カウンター部材３の第１支持部材２１への取付方法は第１実施形態と同様であり、取り付け後のカウンター部材３のスライド方向が第１実施形態と反対に第２壁部１０４側にスライドさせた後、収納部材４０をステー６に配置する。
【００９４】
第１実施形態では、収納部材４０の第１側壁部４６に規制突起４４を設けた例を示した。しかし、第１実施形態の収納部材４０の規制突起４４を収納部材４０の幅方向両端の側壁部４５，４６に形成することにより、カウンター部材３の浴槽１０１側に収納部材４０を設ける場合と、第２壁部１０４側に設ける場合とで部品を共用できる。
【００９５】
本実施形態に係る浴室ユニットによれば、第１実施形態と同様に、洗い場１０２の寸法が異なる場合でもカウンター部材３の部品を共用化しつつ、カウンター部材３の幅方向に生じる隙間を収納として機能させることができる。したがって、デッドスペースとなりがちなカウンター部材３の幅方向の端部を収納に活用できる。また、カウンター部材３と収納部４とが連設されているので、収納部４をカウンター部材３と外観上一体感を持つように設けることができ、外観上も優れたカウンターを備える浴室ユニット１００を提供できる。
【００９６】
本実施形態に係る浴室ユニットによれば、カウンター部材３と浴槽１０１との間にも第１実施形態と同様に収納部材４０を設けることができる。
【００９７】
（第３実施形態）
図１０及び図１１に第３実施形態の浴室ユニットを示す。図１０は第３実施形態の浴室ユニットの正面図である。図１１は、本実施形態の収納部４Ａの取付態様を示す模式図である。第３実施形態の浴室ユニットは、第２支持材及び収納部の構成が第１実施形態と異なる。
【００９８】
本実施形態の第２支持部材２２は、第１実施形態の第２ブラケット５及び第２係止部材７に代えて、一対の第２ブラケット５Ａを用いる。
図１１に示すように、第２ブラケット５Ａは固定部５８１と、軸部５８２と、係止板５８３とで構成されている。固定部５８１及び係止板５８３は、円板形状であり、略等しい形状及び大きさを有する。固定部５８１と係止板５８３とは互いに対向する位置で離間して配置され、円柱形状の軸部５８２により固定されている。固定部５８１と係止板５８３と離間距離は、後述する支持部６７の厚さよりわずかに長い。固定部５８１は第２壁部１０４に固定される部分である。なお、図１１に示す例では、固定部５８１と係止板５８３とが略等しい形状及び大きさである例を示したが、固定部５８１は第２壁部１０４に固定される構成であればよく、固定部５８１と係止板５８３とが異なる形状や大きさであってもよい。
【００９９】
ステー６Ａは、平板状のステー本体６８の幅方向の一方側（第２壁部１０４側）の端部に上下方向に延びる側壁部６６を備え、幅方向の他方側（浴槽１０１側）にステー本体６８の高さよりも高い位置まで上方に延出するカウンター支持部６５が形成されている。カウンター支持部６５は平面視矩形の水平な支持面６５１を有する。
【０１００】
ステー本体６８の下部には、支持部６７を備える。支持部６７は、ステー本体６８の下面から下方に延設されており、側壁部６６に沿って奥行方向に延びる係止面６７２と、係止面６７２の奥行方向両端部から幅方向に延設される支持片６７３とからなる。図１０に示すように、支持片６７３の下端部は、係止面６７２からカウンター支持部６５側に向かって上方に傾斜している。係止面６７２の下端部は略水平に形成され、奥行方向に離間した２箇所に係止凹部６７１が形成されている。係止凹部６７１の形状は、第２ブラケット５Ａの軸部５８２の外周形状に略等しい。
【０１０１】
収納部材４０Ａは、平面視略矩形の枠部材からなる。収納部材４０Ａの幅方向の寸法は、ステー本体６８の側壁部６６とカウンター支持部６５との間の内寸よりわずかに短い。収納部材４０Ａの奥行方向の寸法は、カウンター部材３の幅方向の他方側（第２壁部１０４側）の第１側面部３４１の奥行方向の寸法と略等しく、ステー６Ａの上面６１の奥行方向の寸法よりも長い。奥行方向の両端部の側壁のうち、奥側の側壁部６９１は、幅方向に直線状の平板であり、下端部が幅方向両端の側壁部４６Ａ、４７Ａの下端部よりも下側まで延設されている。幅方向両端の側壁部４６Ａ、４７Ａには、奥側の側壁部６９１との間の角部において奥側の側壁部６９１の下端部と略等しい位置まで下方に延設される角壁部４５１、４６１が形成されている。幅方向両端の側壁部４６Ａ、４７Ａの奥行方向手前側の端部にも、収納部材４０Ａの奥行方向の手前側の側壁部６９２との角部において、奥行方向の手前側の側壁部６９２の下端部と略等しい位置まで下方に延設される角壁部４５２，４６２が形成されている。
【０１０２】
収納部材４０Ａは、ステー６Ａの上面６１に載置され、収納部４Ａがカウンター部材３の幅方向の側方に連設される。収納部材４０Ａの幅方向両端部の側壁部４５Ａ、４６Ａのうちの一方（第２壁部１０４側）の側壁部４６Ａはステー本体６８の側壁部６６と当接し、他方側（浴槽１０１側）の側壁部４５Ａはステー６Ａのカウンター支持部６５の上下方向の側面６５２に当接し、収納部材４０Ａの幅方向の移動が規制される。また、収納部材４０Ａの奥行方向奥側の角壁部４５１，４６１は、ステー本体６８の奥側の端部と当接し、奥行方向の手前側の角壁部４５２，４６２は、ステー本体６８の手前側の端部と当接し、収納部材４０Ａの奥行方向の移動が規制される。収納部材４０Ａがステー６Ａに載置された状態で、ステー本体６８の奥側の端部と収納部材４０Ａの奥側の側壁部６９１との間は離間しており、ステー本体６８の奥側の端部が水抜き部４７として機能する。同様に、収納部材４０Ａがステー６Ａに載置された状態で、ステー本体６８の手前側の端部と収納部材４０Ａの手前側の側壁部６９２との間は離間しており、ステー本体６８の手前側の端部が水抜き部４７として機能する。
【０１０３】
本実施形態では、ステー本体６８の上面６１が収納部の底部として機能し、収納部材４０Ａが収納部の四方を囲む側壁として機能する。
【０１０４】
本実施形態に係る浴室ユニット１００によれば、第１実施形態と同様に、洗い場１０２の寸法が異なる場合でもカウンター部材３の部品を共用化しつつ、カウンター部材３の幅方向に生じる隙間を収納として機能させることができる。したがって、デッドスペースとなりがちなカウンター部材３の幅方向の端部を収納に活用できる。また、カウンター部材３と収納部４Ａとが連設されているので、収納部４Ａをカウンター部材３と外観上一体感を持つように設けることができ、外観上も優れたカウンターを備える浴室ユニット１００を提供できる。
【０１０５】
本実施形態に係る浴室ユニット１００によれば、ステー６Ａのステー本体６８の上面６１が、収納部材４０Ｂを設置するための支持面としての機能及び収納部４Ａの底部としての機能を兼ね備える構成とすることができる。その結果、収納部材４０Ａを簡易な構成にすることができ、かつ軽量化できる。
【０１０６】
本実施形態では、第２ブラケット５Ａに係止したステー６Ａ上に収納部材４０Ａを設ける例を示したが、ステー６Ａのステー６Ａをカウンター部材の幅方向の端部に固定して第２ブラケット５Ａを介してカウンター部材３を係止させ、支持面６１上に収納部材４０Ａを取り付ける構成であってもよい。
【０１０７】
（第４実施形態）
図１２に第４実施形態の浴室ユニットを示す。図１２は第４実施形態の浴室ユニットの収納部分を示す斜視図である。第４実施形態の浴室ユニットは、第２支持部材及び収納部の構成が第１実施形態と異なる。
第２支持部材２２は、第３実施形態と同様の第２ブラケット５Ａである。
【０１０８】
本実施形態の収納部材４０Ｂは、ワイヤで形成されたバスケットである。収納部材４０Ｂは、直方体の箱型に形成された収納部本体４９１と、収納部本体４９１の幅方向の一方（第２壁部１０４側）の上端部から上方に連設され、奥行方向に延びる係止ワイヤ４９２とを有する。収納部材４０Ｂの幅方向の寸法は、カウンター部材３と第２壁部１０４との隙間の長さよりわずかに短く、カウンター部材３と第２壁部１０４との隙間を収納部材４０Ｂで埋めるように設けて収納部４Ｂが形成される。
【０１０９】
収納部材４０Ｂは、第２ブラケット５Ａの固定部５８１と係止板５８３との間に収納部５Ｂの係止ワイヤ４９２を挿入して軸部５８２に吊り下げて係止させる。なお、カウンター部材３は、第１支持部材２１のみを介して第１壁部１０３に支持されている。カウンター部材３は第１壁部１０３に固定される構成であってもよい。
【０１１０】
本実施形態に係る浴室ユニットによれば、第１実施形態と同様に、洗い場１０２の寸法が異なる場合でもカウンター部材３の部品を共用化しつつ、カウンター部材３の幅方向に生じる隙間を収納として機能させることができる。したがって、デッドスペースとなりがちなカウンター部材３の幅方向の端部を収納に活用できる。また、カウンター部材３と収納部４Ｂとが連設されているので、収納部４Ｂをカウンター部材３と外観上一体感を持つように設けることができ、外観上も優れたカウンターを備える浴室ユニット１００を提供できる。
【０１１１】
本実施形態に係る浴室ユニットによれば、ワイヤからなるバスケット状の収納部材４０Ｂを第２ブラケット５Ａに係止させる簡易な支持構造で収納部４Ｂを配置でき、かつ収納部４Ｂが軽量化できる。
【０１１２】
収納部の構成は上記各実施形態に示した態様に限定されず、カウンター部材３と第２壁部１０４または浴槽１０１との間に収納部が設けられる構成であればよい。例えば、引き出し型、蓋部を備える箱型等、物品を収納可能な構成であればよい。例えば、身体用の洗浄剤や浴室用洗剤を収容するタンクを収納部として設けてもよい。
【０１１３】
収納部の構成は上記各実施形態に示した態様に限定されず、収納部が第１ブラケット８を介して第１壁部１０３に取り付けられる構成、第２ブラケット５を介して第２壁部１０４に取り付けられる構成であってもよい。あるいは、第３実施形態の収納部４Ｂのような軽量な収納部材４０Ｂの場合、カウンター部材３に収納部材が設けられる構成であってもよい。
【０１１４】
以上、本発明の実施形態について図面を参照して詳述したが、具体的な構成はこの実施形態に限られるものではなく、本発明の要旨を逸脱しない範囲の設計変更等も含まれる。
また、上述の実施形態において示した構成要素は適宜に組み合わせて構成することが可能である。
【符号の説明】
【０１１５】
３  カウンター部材
４、４Ａ、４Ｂ  収納部
４０、４０Ａ、４０Ｂ  収納部材
５，５Ａ  第２ブラケット
４７  水抜き部
１００  浴室ユニット
１０１  浴槽
１０２  洗い場（床面）
１０３  第1壁部（壁部）
１０４  第２壁部(壁部)
【図１】
2019041857.tif 000003
【図２】
2019041857.tif 000004
【図３】
2019041857.tif 000005
【図４】
2019041857.tif 000006
【図５】
2019041857.tif 000007
【図６】
2019041857.tif 000008
【図７】
2019041857.tif 000009
【図８】
2019041857.tif 000010
【図９】
2019041857.tif 000011
【図１０】
2019041857.tif 000012
【図１１】
2019041857.tif 000013
【図１２】
2019041857.tif 000014